(57)【要約】【課題】液体貯留タンクのスペースを確保することなしに、メダル払出部に侵入した液体が筐体内部の機器を濡らすことを防ぎながら、液体をメダル払出部から排出させることができる遊技機を提供する。【解決手段】遊技媒体払出し機構を内蔵した筐体、前記筐体の前面に設けられ前記遊技媒体払出し機構から遊技媒体を払出す遊技媒体払出部と、を備えた遊技機において、前記遊技媒体払出部は、前記筐体の前面から筐体内部側に延びる遊技媒体受皿と、この遊技媒体受皿の外周を囲んで上方に延びる外周壁と、を備え、前記遊技媒体受皿は外周に下方に向かって折り返されて形成された折返し部を有し、前記外周壁は、前記遊技媒体受皿の折返し部に沿って延びる延長部と、この延長部の先端から前面側かつ下方に延びるガイド部と、を有する。【選択図】        図３
2005192607.tif 000002
【特許請求の範囲】
【請求項１】
遊技媒体払出し機構を内蔵した筐体、前記筐体の前面に設けられ前記遊技媒体払出し機構から遊技媒体を払出す遊技媒体払出部と、を備えた遊技機であって、
前記遊技媒体払出部は、前記筐体の前面から筐体内部側に延びる遊技媒体受皿と、この遊技媒体受皿の外周を囲んで上方に延びる外周壁と、を備え、
前記遊技媒体受皿は外周に下方に向かって折り返されて形成された折返し部を有し、
前記外周壁は、前記遊技媒体受皿の折返し部に沿って延びる延長部と、この延長部の先端から前面側かつ下方に延びるガイド部と、を有していることを特徴とする遊技機。
【請求項２】
請求項１に記載の遊技機であって、
前記筐体の前面にはドアが設けられ、
前記ドアの下端の筐体内部側には樋状部材が設けられ、
前記外周壁のガイド部の先端は、
前記樋状部材の筐体内部側の端縁を含む鉛直上方の延長線と前記ドアとの間に位置することを特徴とする遊技機。
【請求項３】
請求項２に記載の遊技機であって、
前記筐体の底面部のドア近傍には、前記筐体内部側の端縁を含む鉛直上方の延長線の一部と当接する当接部が、前記端縁よりも鉛直上方側に高く設けられていることを特徴とする遊技機。
【発明の詳細な説明】
【技術分野】
【０００１】
本発明は、遊技機に関し、特にメダルの払出しを行う遊技機に関する。
【背景技術】
【０００２】
従来、ビンゴ遊技機やスロットマシンのように、メダル投入口にメダルを投入して遊技を行い、遊技の結果としてメダルが払い出される遊技機がある。
【０００３】
このような遊技機は、メダルを投入するためのメダル投入口と、メダル投入口に投入されたメダルの真偽を判別するためのメダルセレクタと、メダルを貯留するとともに賞としてのメダルを払い出すための払出し機構であるホッパと、ホッパにより払い出されたメダルを受けるためのメダル払出部と、メダルセレクタにより真正でないと判別されたメダルをメダル払出部に導くためのキャンセルシュートとを備えている。
【０００４】
ところで、このような遊技機を設置している遊技場の多くは、遊技者に対してコーヒー、ジュース等の飲料を提供するため、売店や自動販売機を設置している。このため、遊技場では、遊技者が紙コップ等に注がれた飲料を飲みながら遊技を行うことがある。この際、誤って飲料をこぼしてしまい、こぼれた飲料がメダル投入口へ流入する場合があった。また、遊技に勝利することができないといった理由により、遊技者が故意に飲料をメダル投入口に流し込むこともあった。
【０００５】
ビンゴ遊技機やスロットマシン等の遊技機では、メダル投入口が上向きに設けられており、飲料である液体がメダル投入口に流入し易くなっている。ここで、メダル投入口から流入した液体がホッパまで到達しないようするため、筐体の前面ドアの裏側にメダルガイドから連通する排水ダクトを設け、液体をメダル払出部に直接に排出する遊技機が提案されている（例えば、特許文献１参照）。
【特許文献１】特開２００２−１７７４４５号公報
【発明の開示】
【発明が解決しようとする課題】
【０００６】
しかしながら、上述の遊技機では、液体がホッパに到達することは防げるものの、メダル払出部のメダル受皿に出てきた液体はその場に溜まってしまう。したがって、メダル受皿に排出された液体は、遊技者や遊技場の係員がふき取って除去する必要があった。また、メダル受皿ではなく液体貯留タンクに液体を貯留しようとすると、タンクの取付けスペースを確保したり、液体排出管を設置したりする必要が生じてしまう。
【０００７】
本発明の目的は、液体貯留タンクのスペースを確保することなしに、メダル払出部に侵入した液体が筐体内部の機器を濡らすことを防ぎながら、液体をメダル払出部から排出させることができる遊技機を提供することである。
【課題を解決するための手段】
【０００８】
より具体的には、本発明では、以下のようなものを提供する。
【０００９】
（１）  遊技媒体払出し機構（例えば、ホッパ４１８、およびメダル案内部４２８など）を内蔵した筐体（例えば、端末筐体４００など）、前記筐体の前面に設けられ前記遊技媒体払出し機構から遊技媒体を払出す遊技媒体払出部（例えば、メダル払出部４３４など）と、を備えた遊技機であって、前記遊技媒体払出部は、前記筐体の前面から筐体内部側に延びる遊技媒体受皿（例えば、メダル受皿４３８など）と、この遊技媒体受皿の外周を囲んで上方に延びる外周壁（４４０）と、を備え、前記遊技媒体受皿は外周に下方に向かって折り返されて形成された折返し部（４３９）を有し、前記外周壁は、前記遊技媒体受皿の折返し部に沿って延びる延長部（４４２）と、この延長部の先端から前面側かつ下方に延びるガイド部（４４４）と、を有していることを特徴とする遊技機（３１０）。
【００１０】
（１）の発明によれば、メダル払出部にメダル以外の異物である液体が侵入した場合、この液体は、メダル受皿が有する折返し部および外周壁の延長部の間の隙間を通過してメダル払出部より排出され、この後、前面側に延びるガイド部を流れてから流れ落ちる。すなわち、メダル払出部より排出される液体は、筐体内のより前面方向の位置に流れ落ちる。このように、メダル払出部に侵入した液体を簡易な構成によって排出することができ、さらに、筐体内部にある各種装置が、排出した液体により濡れるのを防ぐことができる。
【００１１】
ここで、筐体とは、例えば、実施例の遊技機３１０における端末筐体４００等である。
【００１２】
（２）  （１）に記載の遊技機であって、前記筐体の前面にはドア（４０２）が設けられ、前記ドアの下端の筐体内部側には樋状部材（４３６）が設けられ、前記外周壁のガイド部の先端は、前記樋状部材の筐体内部側の端縁を含む鉛直上方の延長線と前記ドアとの間に位置することを特徴とする遊技機。
【００１３】
（２）の発明によれば、メダル払出部より排出されガイド部を流れた液体は、ガイド部の先端から樋状部材の上に落ちる。このことにより、液体を樋状部材の中に導くことができる。
【００１４】
（３）  （２）に記載の遊技機であって、前記筐体の底面部（４０９）のドア近傍には、前記筐体内部側の端縁を含む鉛直上方の延長線の一部と当接する当接部（４１１）が、前記端縁よりも鉛直上方側に高く設けられていることを特徴とする遊技機。
【００１５】
（３）の発明によれば、当接部が端縁よりも高く設けられていることにより、ガイド部から落ちてきた液体の跳ねを防止することができる。また、筐体内部にある各種装置が、排出した液体により濡れるのを防ぐことができる。
【発明の効果】
【００１６】
本発明によれば、メダル払出部にメダル以外の異物である液体が侵入した場合、この液体は、メダル受皿が有する折返し部および外周壁の延長部の間の隙間を通過してメダル払出部より排出され、この後、前面側に延びるガイド部を流れてから流れ落ちる。すなわち、メダル払出部より排出される液体は、筐体内のより前面方向の位置に流れ落ちる。このように、メダル払出部に侵入した液体を簡易な構成によって排出することができ、さらに、筐体内部にある各種装置が、排出した液体により濡れるのを防ぐことができる。
【発明を実施するための最良の形態】
【００１７】
以下、本発明を実施するための形態を、ビンゴ遊技機の例により、図１〜図４を参照して説明する。
【００１８】
本実施例の遊技機３１０は、メダル、コイン、遊技球またはトークン等の遊技媒体を用いて遊技する遊技機であるが、以下ではメダルを用いるものとして説明する。
【００１９】
［遊技機の構成］
図１は、本実施例における遊技機の概観を示す斜視図である。
【００２０】
遊技機３１０は、抽選機３１２と、複数の遊技端末３１４とから構成される。この遊技機３１０は、複数の遊技端末３１４Ａ〜３１４Ｊによって、複数のゲームプレーヤに対して同時にゲームを提供することができる。なお、図１においては、抽選機３１２によって隠れた遊技端末３１４Ｆ〜３１４Ｈについては図示しない。抽選機３１２と複数の遊技端末３１４とは相互に通信可能に接続されている。遊技端末３１４は、抽選機３１２で行われる抽選の結果データを受信し、このデータに基づいて遊技結果を判別し、遊技者へのメダルの払出しを行う。
【００２１】
抽選機３１２は、船を模した抽選機筐体３１３から主に構成され、遊技機３１０の中央に配設される。また、抽選機３１２の中央には、２つの抽選盤３３８、３３９が配設される。これら２つの抽選盤３３８、３３９には、合計５２個の抽選穴が形成される。これら複数の抽選穴には、スペード、クラブ、ハート、ダイヤから構成される第１の符号と、２〜１０の数字、Ａ、Ｊ、Ｑ、Ｋの記号から構成される第２の符号の組合せである識別情報が対応付けられている。この識別情報は、抽選結果を決定するためのものである。つまり、抽選盤３３８、３３９における複数の抽選穴の夫々には抽選結果を決定するための識別情報が対応付けられている。抽選球が入った複数の抽選穴のいずれかに応じて抽選が行われ、ゲームの結果を決定することとなる。抽選機３１２には揺動装置が配設されており、船首３１２Ａと船尾３１２Ｂとが上下方向に変位するように抽選機筐体３１３が揺動可能となっている。
【００２２】
抽選機３１２の両舷方には、複数の遊技端末３１４Ａ〜３１４Ｊが配設される。本実施例においては、１０台の遊技端末３１４Ａ〜３１４Ｊが設けられている。それぞれの遊技端末３１４Ａ〜３１４Ｊには、それぞれメダル払出口３８２Ａ〜３８２Ｊが形成される。図１には、メダル払出口３８２Ａ〜３８２Ｅのみを示す。
【００２３】
［遊技の概要］
本実施例における遊技機３１０の遊技は、ビンゴゲームである。具体的には、抽選機３１２が、抽選機筐体３１３を揺動させながら抽選盤３３８、３３９に向かって複数の抽選球を投入し、抽選球が入った複数の抽選穴に応じて抽選が行われる。遊技端末３１４Ａ〜３１４Ｊでは、遊技者によりメダルが投入されると、抽選機３１２の抽選とは別の抽選により、抽選穴の種類に対応する識別標識の列が作成される。遊技端末３１４Ａ〜３１４Ｊは、抽選機３１２での抽選結果を受信し、この抽選結果に対応する識別標識の組合せが特定の態様を成立させた場合に、入賞（ビンゴ）となる。そして、成立した態様に応じた枚数のメダルを、特典として遊技者に払い出す。
【００２４】
［遊技端末］
遊技端末３１４Ａについて説明する。なお、遊技端末３１４Ｂ〜３１４Ｊについては、同じような構成であるため説明を省略する。
【００２５】
図２は、遊技端末３１４Ａのドアが開いている状態を示す斜視図である。遊技端末３１４Ａは、遊技機３１０が遊技を提供するために必要な遊技装置を内蔵する端末筐体４００と、端末筐体の上に設けられる表示装置４０４とからなる。端末筐体４００の上には、表示装置４０４の手前に台座部４１０が設けられている。台座部４１０の上には、遊技者が操作するためのダイヤル４１４、スイッチ４１２，４１３、および遊技に必要なメダルを投入するためのメダル投入口４０８が配置されている。また、表示装置４０４の両脇には効果音や音楽を出力するためのスピーカ４０６が設けられている。
【００２６】
端末筐体４００内部には、メダルが有効か否かを判別し、判別結果に応じてメダルを異なる経路に導くメダルセレクタ４１６がメダル投入口４０８の下に配置されている。メダルセレクタ４１６の下には、メダルを貯留するとともに、その中から指定された枚数のメダルを排出するホッパ４１８が設けられている。ホッパ４１８の下部はメダルを排出するためのホッパ駆動部４２２となっており、このホッパ駆動部４２２に設けられたメダル排出口４２０から、払い出される枚数のメダルが排出される。端末筐体４００の前面は開閉可能なドア４０２により構成されており、ドア４０２には、落下するメダル等を所定の位置に案内するメダル案内部４２８が取付けられている。金属の板を折り曲げて形成されたメダル案内部４２８は、ドア４０２が閉められた状態において、メダルセレクタ４１６の下にホッパ４１８と隣接して配置されるよう取付けられている。メダル案内部４２８の側面には、ホッパ４１８のメダル排出口４２０から排出されるメダルをメダル案内部４２８の中に入れるためのメダル受入口４３０が形成されている。
【００２７】
ドア４０２には、遊技者が遊技機３１０から払い出されたメダルを取り出すための開口である、メダル払出口４３２Ａが形成されている。また、ドア４０２には、このメダル払出口３８２Ａに臨む位置に、払い出されたメダルが受けるためのメダル払出部４３４が取付けられている。メダル払出部４３４の下方の、ドア４０２の下辺には、上部から落ちてくる液体を受け、ドアの下辺の両端に導くための樋状部材４３６が配置されている。樋状部材４３６は、液体の流れを案内するための鉛直面である案内面４３６Ａを有する。端末筐体４００の底面部４０９のドア近傍には、樋状部材４３６の案内面４３６Ａ、すなわち筐体内部側の端縁を含む鉛直上方の延長線の一部と当接する当接部４１１が設けられている。当接部４１１は、樋状部材４３６の端縁よりも高く形成されている。
【００２８】
底面部４０９には、ドア４０２が閉じた状態で樋状部材４３６の案内面４３６Ａと当接するようにドア近傍に起立する当接部４１１が設けられている。また、端末筐体４００内には、ホッパ４１８の下に、遊技端末３１４Ａの各装置の制御を行う制御回路基板４２４や、これらの装置および基板等に電源を供給する電源装置４２６も設置されている。なお、上述のホッパ４１８、およびメダル案内部４２８は遊技媒体払出し機構を構成する。
【００２９】
［メダル払出部］
図３は、図２においてドア４０２が閉じた状態で矢印Ｌの方向から見た、遊技端末３１４ＡのＫ−Ｋ’線部分断面図を示す。メダル払出部の底面となり、払い出されるメダルを受けるメダル受皿４３８は、端末筐体４００の前面に形成されたメダル払出口４３２Ａの下辺近傍から、端末筐体４００の内側に水平に延びるように設けられる。このメダル受皿４３８は、端末筐体４００の内側に延びた先が下方に向かって折り返された折返し部４３９を有する。メダル受皿４３８の外周には、メダル払出口４３２Ａとともにメダル受皿４３８を囲んで上方に延びるように外周壁４４０が取付けられる。この実施例において、外周壁４４０は、メダル払出口４３２Ａの開口を覆う必要はない。したがって、外周壁４４０は、メダル払出口４３２Ａの設けられたドア４０２のある面を除く３方向の側面、すなわち、端末筐体４００の外からメダル払出口４３２Ａを覗いたときにメダル受皿４３８の左右側および奥側を囲むように設置される。外周壁４４０は、メダル受皿４３８の折返し部４３９に沿って、メダル受皿４３８より下方に延びる延長部４４２を有し、さらに、この延長部４４２の先端から前面側（すなわちドアのある側）、かつ下側に延びるガイド部４４４を有している。
【００３０】
ガイド部４４４は、具体的には、外周壁を構成する金属板を延長部４４２の先端で折り曲げ形成され構成されている。ガイド部は、折り曲げた位置から先端に向かって下方に傾斜し、この傾斜の角度は水平面に対し０°より大きく９０°より小さい。また、メダル受皿４３８の折返し部４３９と、外周壁４４０の延長部４４２とは、スポット溶接によって接合されている。しかし、スポット溶接は部分的な接合を行うものであり、溶接されていない部分では、折返し部４３９と延長部４４２とは接合しておらず、隙間を有している。この隙間の大きさは、メダルよりも十分小さく、しかも液体は通過できる程度のものである。外周壁４４０のガイド部４４４の先端は、樋状部材４３６の筐体内部側の端縁を含む鉛直上方の延長線とドア４０２との間に位置するよう形成される。
【００３１】
［メダルの流れ］
遊技端末３１４Ａにおける、メダルの投入からメダルの払出しまでのメダルの経路を説明する。メダル投入口４０８から投入されたメダルは、メダルセレクタ４１６に入る。メダルセレクタ４１６は、磁性、大きさ、重量から、入ったメダルが遊技に用いられるメダルとして有効なものか否かを判別し、有効なメダルは、枚数が投入枚数として計数された後、有効メダル排出口４１５から排出する。例えば、図示しないが、メダルセレクタ４１６は、有効なメダルの直径よりも僅かに狭い間隔で配置されたレールを有し、有効な大きさを有するメダルをレールの上を有効メダル排出口４１５に導くような構成としてもよい。この場合、レールの配置間隔よりも小さい、すなわち無効なメダルや、メダル以外のもの、および、飲料等の液体といった異物はレールの間をすり抜け、重力によって異物排出口４１７から下に落ちる構成としてもよい。
【００３２】
有効メダル排出口４１５から出たメダルは、ホッパ４１８の内部に溜まる。遊技者が遊技を行った結果、遊技者にメダルが払い出される場合には、まず、ホッパに溜まったメダルのうち底にあるものから所定の枚数のメダルが、ホッパ４１８下部のホッパ駆動部４２２により引き出される。ホッパ駆動部４２２はこれらのメダルをメダル排出口４２０から排出する。排出されたメダルは、メダル排出口４２０に隣接するメダル受入口４３０から、メダル案内部４２８に入る。そして、メダルは、メダル案内部４２８の下に配置されたメダル払出部４３４に案内されながら落下する。メダル払出部４３４では、メダル受皿４３８が、入ってきたメダルを受けて、その場に溜める。遊技者は、メダル払出口３８２Ａから手を入れて、メダル受皿４３８の上のメダルを取り出すことができる。
【００３３】
［液体の流れ］
図４は、台座の上でこぼれた液体すなわち異物がメダル投入口４０８から入り込んだ場合の、遊技端末３１４Ａ内部における液体の流れを示す図である。メダル投入口４０８から入り込んだ液体は、メダルの場合と同様に、メダルセレクタ４１６に入る。ただし、上述したように、液体は有効なメダルでないため、メダルセレクタ４１６によって有効メダル排出口４１５まで導くことはできず、そのまま異物排出口４１７から排出される。異物排出口４１７から排出された液体は、メダル案内部４２８にその上部の開口から入り、メダル案内部４２８の下部の開口から下に流れ落ちる。そして、メダル案内部４２８の下部の開口の下方に配置されたメダル払出部４３４に入る。このようにして、有効なメダル以外の異物である飲料等の液体が、ホッパ４１８に入って、内部の機構や制御回路、またその近辺や下部に配置された機構や装置を濡らして故障や事故の原因となることを抑止することができる。
【００３４】
上述したように、メダル払出部４３４に入った液体は、メダル受皿４３８の上に落ちる。この液体は、メダル受皿４３８の折返し部４３９と、外周壁４４０の延長部４４２との間の隙間からメダル払出部４３４の外部へと排出される。この隙間があることにより、特別の排出装置等を設けることなく、液体を、端末筐体４００の内部で排出することができる。このことにより、メダル払出部４３４に液体が溜まったままとなって、メダルが液体の中に浸かってしまったり、あるいは、液体がドアの中央にあるメダル払出口３８２Ａから溢れ出て、遊技者から特に目立つドアの中央部を汚してしまったりするのを防ぐことができる。
【００３５】
メダル払出部４３４の外部へと排出された液体は、ガイド部４４４の上面を流れ、ガイド部４４４の先端から樋状部材４３６に落ちる。ガイド部４４４は、延長部４４２の先端から端末筐体４００の前面かつ下方に向かって斜めに延びている。このため、端末筐体４００の外からメダル払出口３８２Ａを通して見た場合にメダル払出部４３４の一番奥にある折返し部４３９と延長部４４２との間の隙間から落ちた液体が、端末筐体４００の内部にある電源装置４２６等の機構や基板を濡らして故障の原因となるのを防ぐことができる。このように、電源装置４２６に液体がかかることを防止し、安全性をより高めることができる。また、端末筐体４００の底面部４０９に設けられた当接部４１１が、端縁よりも高くなっているため、ガイド部から落ちてきた液体の跳ねを防止することができる。
【００３６】
ガイド部４４４の先端から樋状部材４３６に落ちた液体は、樋状部材４３６の端から流れ出る。ここで樋状部材４３６の両端は、ドアの下辺の端に位置している。このため、樋状部材４３６の端から流れ出た液体は、端末筐体４００の正面中央を避け、ドア４０２の両脇と端末筐体４００の間の隙間から、端末筐体４００の外部に流れ出る。
【００３７】
［別の実施例］
図５に、上述の実施例と別の実施例によるメダル払出部を示す。本実施例では、上述の実施例と、ガイド部５４４の先端までの長ささにおいて異なり、他の点は同様である。本実施例のメダル払出部におけるガイド部５４４はその先端が、ドア４０２にほぼ接している。ただし、ガイド部５４４とドア４０２の間には隙間があり、メダル払出部から排出された液体は、この隙間を通る。この後、液体は、表面張力によりドアの内側面を伝って樋状部材４３６に流れ込む。したがって、ガイド部５４４を流れた液体が直接樋状部材４３６に落ちることがなく、樋状部材に落ちた液体の跳ねを低減できる。
【００３８】
以上、実施例を説明したが、本発明はこれに限られるものではない。
【００３９】
なお、実施例では、遊技機は抽選機と遊技端末とにより構成したものとして説明したが、本発明はこれに限られない。メダル払出口を備えるものであれば、例えば、スロットマシン、パチスロといった、単体で独立に遊技可能な遊技機に適用することができる。
【００４０】
また、メダル受皿４３８の折返し部４３９と、外周壁４４０の延長部４４２とはスポット溶接により接合したが、本発明は、液体が流れ出すための隙間を維持しつつ、そこからメダルが落ちない限り、折返し部４３９と延長部４４２とを直接に接合するものに限らない。例えは、メダル受皿４３８および外周壁４４０は、それぞれドア４０２に接合されるようにしてもよい。
【００４１】
さらに、外周壁４４０の延長部４４２とはスポット溶接することとして説明したが、これに限られない。隙間を維持しながら固定するものであれば他の状態でもよく、例えば、穴を開け、リベットまたはボルト、ナットといった締結具により固定するものでもよい。この場合、外周壁４４０の延長部４４２との間にワッシャやスペーサ等を挟むことにより、液体が流れ出る隙間の大きさを加減できる。
【００４２】
また、メダル受皿４３８は、水平に取付けられているとして説明したが、より効率よく液体を導くために、折返し部４３９の位置を低くして斜めに取付けるものでもよい。
【００４３】
ドアには、樋状部材４３６があることとして説明したが、樋状部材４３６は設置されていなくてもよい。ただし、跳ねを低減するため、樋状部材４３６が設定されていることがより好ましい。
【００４４】
また、樋状部材４３６の案内面４３６Ａは鉛直面であると説明したが、案内面４３６Ａは、端縁が端末筐体４００内部側になるように斜めに傾斜する面とし、さらに、液体が、ガイド部４４４の先端からこの傾斜する面に落ちるよう、ガイド部４４４を配置することとしてもよい。このことによって、樋状部材４３６に落ちる液体の跳ねをさらに低減することができる。
【００４５】
なお、本発明の実施例に記載された効果は、本発明から生じる最も好適な効果を列挙したに過ぎず、本発明による効果は、本発明の実施例に記載されたものに限定されるものではない。
【図面の簡単な説明】
【００４６】
【図１】本発明の一実施例の遊技機の外観を示す斜視図である。
【図２】本発明の一実施例の遊技端末の外観を示す斜視図である。
【図３】本発明の一実施例の遊技端末の内部を示す部分断面図である。
【図４】本発明の一実施例の遊技端末に流れ込む液体の流れを説明する図である。
【図５】本発明の別の実施例の遊技端末の内部を示す部分断面図である。
【符号の説明】
【００４７】
３１０  遊技機
３１２  抽選機
３１４  遊技端末
３８２Ａ  メダル払出口
４００  端末筐体（筐体）
４０２  ドア
４０８  メダル投入口
４１５  有効メダル排出口
４１６  メダルセレクタ
４１７  異物排出口
４１８  ホッパ
４２４  制御回路基板
４２６  電源装置
４２８  メダル案内部
４３４  メダル払出部
４３６  樋状部材
４３８  メダル受皿
４３９  折返し部
４４０  外周壁
４４２  延長部
４４４  ガイド部
４８２Ａ  メダル払出口
【図１】
2005192607.tif 000003
【図２】
2005192607.tif 000004
【図３】
2005192607.tif 000005
【図４】
2005192607.tif 000006
【図５】
2005192607.tif 000007